【手続補正書】
【提出日】平成16年7月30日(2004.7.30)
【手続補正１】
【補正対象書類名】明細書
【補正対象項目名】全文
【補正方法】変更
【補正の内容】
【書類名】  明細書
【発明の名称】  充電式電気掃除機
【特許請求の範囲】
【請求項１】  電動送風機および前記電動送風機に電力を供給する充電電源を内蔵した掃除機本体と、前記充電電源を充電する充電直流電源装置、ならびに前記掃除機本体との接続を検知する充電台セット検知手段を内蔵した充電台とを備え、前記充電台セット検知手段により検知する接続時間に基づき、前記充電電源を充電または放電に切り替える充電放電切り替え手段を有する充電式電気掃除機。
【請求項２】  電動送風機および前記電動送風機に電力を供給する充電電源を内蔵した掃除機本体と、前記充電電源を充電する充電台とを備え、前記充電台は、時報電波を検出する時報電波検出手段と、前記充電電源を充電に切り替える充電切り替え手段と、前記電動送風機に流れる電流と同一の電流を流す負荷と、前記充電電源に前記負荷を接続することにより電圧降下した電圧値を検出する分割電圧部と、前記充電電源を放電させる放電手段とを有し、前記時報電波検出手段および前記分割電圧部の出力に基づいて前記充電電源の放電および充電を制御する信号処理部からなる充電式電気掃除機。
【請求項３】  電動送風機およびそれに電力を供給する充電電源と、前記電動送風機の運転を操作する操作部と、この操作部の信号により前記電動送風機の吸い込み力を制御する本体信号処理部と、この本体信号処理部の出力信号に応じてスイッチングを行うスイッチング手段と、前記本体信号処理部が信号を出力したときにのみ充電電源の分割電圧を入力する回路とを有し、前記充電電源の端子電圧の変化を本体信号処理部で読み取り、変化率に応じて吸い込み力を制御する充電式電気掃除機。
【請求項４】  電動送風機およびそれに電力を供給する充電電源と、前記電動送風機の運転を操作する操作部と、この操作部の信号により前記電動送風機の吸い込み力を制御する本体信号処理部と、この本体信号処理部の出力信号により前記電動送風機をオン／オフするスイッチング手段と、前記本体信号処理部の電源である本体直流電源装置とを有する制御回路を内蔵した掃除機本体、および前記充電電源を充電する充電直流電源装置と、前記掃除機本体との接続を検知する充電台セット検知手段と、この充電台セット検知手段よりの信号を受けて制御する信号処理部と、この信号処理部の電源となる直流電源装置と、前記信号処理部の出力信号に応じて充電を切り替える充電切り替え手段と、充電を切り替えた信号を送信する送信手段とを有する制御回路を内蔵した充電台を備え、前記掃除機本体の制御回路は、前記送信手段の信号を受ける受信手段を有する充電式電気掃除機。
【請求項５】  掃除機本体に設けた吸い込み口を密閉する密閉弁と、電動送風機に電力を供給する充電電源の近傍に外気と連通させて設けた開放口と、この開放口を開閉する開放口密閉弁とを有する充電式電気掃除機。
【請求項６】  充電電源により駆動する電動送風機によって吸引される空気が流通するごみ吸引用空気経路と、このごみ吸引用空気経路と連通し、前記充電電源を冷却する冷却用空気経路とを備えた充電式電気掃除機。
【請求項７】  充電電源の冷却用空気経路の入口を開閉する可動式の空気経路開閉部と、この空気経路開閉部を駆動する空気経路開閉駆動手段と、前記充電電源の温度を検知する温度検知手段と、この温度検知手段の検知により前記空気経路開閉駆動手段を制御する空気経路開閉判断手段とを備えた請求項６記載の充電式電気掃除機。
【請求項８】  空気経路開閉部が、形状記憶合金により形成した空気経路開閉手段を備える請求項７記載の充電式電気掃除機。
【請求項９】  電動送風機を駆動する充電電源にヒートシンクを設け、前記電動送風機の吸引する空気により前記充電電源を冷却する充電式電気掃除機。
【請求項１０】  電動送風機の駆動制御部における半導体のヒートシンクを充電電源のヒートシンクと共用した請求項９記載の充電式電気掃除機。
【発明の詳細な説明】
【０００１】
【発明の属する技術分野】
本発明は、充電電源の寿命を延ばし、使い勝手を向上させた充電式電気掃除機に関するものである。
【０００２】
【従来の技術】
従来の充電式電気掃除機について、その外観説明図を示す図１７およびブロック回路図を示す図１８を参照して説明する。
【０００３】
図１７および図１８において、１０１は掃除機本体、１０２はスイッチを有する操作部、１０３は掃除機本体１０１を載置して両者を接続する充電台で、掃除機本体１０１と充電台１０３とは端子により接続されている。掃除に使用するときは掃除機本体１０１を充電台１０３より外し、操作部１０２を操作すると、スイッチがオンされ、充電電源１０４によって電動送風機１０５が動作して吸引力が発生する。また、掃除が終了したときは、操作部１０２によりスイッチをオフとして掃除機本体１０１を充電台１０３に載置し、充電台１０３を商用電源１０６に接続すると、充電電源１０４は充電直流電源装置１０７により充電される。
【０００４】
【発明が解決しようとする課題】
従来の充電式電気掃除機にあっては、短時間の使用でも掃除が終了した場合、掃除機本体１０１を充電台１０３に載置して接続することが多いため、充電電源１０４はほとんど放電することがなく、常に電圧の高い領域でのみ使用されがちであり、充電電源１０４の電池の寿命や、サイクル寿命が悪くなるという問題点があった。また、充電する際に、充電電源１０４が発熱したり、あるいは、電動送風機１０５の動作中における周囲温度の上昇により、充電電源１０４が冷却され難く、寿命が劣化するという問題点もあった。さらに、電池の寿命の劣化により掃除に使用中に充電電源１０４を充電する必要が生ずることもあるという問題点があった。
【０００５】
【課題を解決するための手段】
上記の問題点を解決するために本発明は、電動送風機に電力を供給する充電電源を有する掃除機本体と、前記充電電源を充電する充電直流電源装置および掃除機本体との接続を検知する充電台セット検知手段を有する充電台とを備え、掃除機本体と充電台との接続時間が所定値を越えたときに、前記充電電源を一旦放電させ、その後充電することとし、また電動送風機により吸引する空気の一部を利用して前記充電電源を冷却することとしている。そして、充電電源のすべての電圧範囲を使用してリフレッシュを行ない、発熱による充電電源の寿命の劣化とサイクル寿命の劣化をなくし、使用寿命を延長し使い勝手の良いものとすることができる。
【０００６】
【発明の実施の形態】
本発明は、電動送風機および前記電動送風機に電力を供給する充電電源を内蔵した掃除機本体と、前記充電電源を充電する充電直流電源装置、ならびに前記掃除機本体との接続を検知する充電台セット検知手段を内蔵した充電台とを備え、前記充電台セット検知手段により検知する接続時間に基づき、前記充電電源を充電または放電に切り替える充電放電切り替え手段を有するものである。そして、掃除機本体と充電台との接続時間が所定値を越えたときに、前記充電電源を一旦放電させ、その後充電を行うようにすることにより、充電電源のすべての電圧範囲を使用してリフレッシュを行なうことができる。
【０００７】
また、電動送風機および前記電動送風機に電力を供給する充電電源を内蔵した掃除機本体と、前記充電電源を充電する充電台とを備え、前記充電台は、時報電波を検出する時報電波検出手段と、前記充電電源を充電に切り替える充電切り替え手段と、前記電動送風機に流れる電流と同一の電流を流す負荷と、前記充電電源に前記負荷を接続することにより電圧降下した電圧値を検出する分割電圧部と、前記充電電源を放電させる放電手段とを有し、前記時報電波検出手段および前記分割電圧部の出力に基づいて前記充電電源の放電および充電を制御する信号処理部からなるものである。そして、信号処理部により、掃除機本体が充電台に接続されたときに充電電源を負荷に接続し、そのときの充電電源の分割電圧が、設定値以下の時は、夜間に放電を行い、明朝までに充電が完了させるようにすることができ、充電電源のすべての電圧範囲を使用して充電電源のリフレッシュを行ない、かつ朝までに充電を完了させることができる。
【０００８】
また、電動送風機およびそれに電力を供給する充電電源と、前記電動送風機の運転を操作する操作部と、この操作部の信号により前記電動送風機の吸い込み力を制御する本体信号処理部と、この本体信号処理部の出力に応じてスイッチングを行うスイッチング手段と、前記本体信号処理部が信号を出力したときにのみ充電電源の分割電圧を入力する回路とを有し、前記充電電源の端子電圧の変化を本体信号処理部で読み取り、変化率に応じて吸い込み力を制御するものである。
【０００９】
そして、変化率が大きいときは吸い込み力を抑えることができ、掃除の最低時間を確保することができる。
【００１０】
また、電動送風機およびそれに電力を供給する充電電源と、前記電動送風機の運転を操作する操作部と、この操作部の信号により前記電動送風機の吸い込み力を制御する本体信号処理部と、この本体信号処理部からの出力信号により前記電動送風機をオン／オフするスイッチング手段と、前記本体信号処理部の電源である本体直流電源装置とを有する制御回路を内蔵した掃除機本体、および前記充電電源を充電する充電直流電源装置と、前記掃除機本体との接続を検知する充電台セット検知手段と、この充電台セット検知手段よりの信号を受けて制御する信号処理部と、この信号処理部の電源となる直流電源装置と、前記信号処理部の出力信号に応じて充電を切り替える充電切り替え手段と、充電を切り替えた信号を送信する送信手段とを有する制御回路を内蔵した充電台とを備え、前記掃除機本体の制御回路は、前記送信手段よりの信号の受信手段を有するものである。
【００１１】
そして、充電電源を充電する際に、電動送風機をゆっくりと回転させ、充電電源を冷却しながら充電を行うことができ、充電時の充電電源の冷却を行ない、その温度上昇を抑えることができる。
【００１２】
また、掃除機本体に設けた吸い込み口を密閉する密閉弁と、電動送風機に電力を供給する充電電源の近傍に、外気と連通させて設けた開放口と、この開放口を開閉する開閉口密閉弁とを有するものである。そして、充電を行うときは、電動送風機をゆっくりと回転させながらかつ吸い込み口を閉じ、開放口は開けるようにすることにより、充電電源の冷却効果をさらに良くすることができる。
【００１３】
また、充電電源により駆動する電動送風機によって吸引される空気が流通するごみ吸引用空気経路と、このごみ吸引用空気経路と連通し、前記充電電源を冷却する冷却用空気経路とを備えたものである。
【００１４】
そして、運転された電動送風機によって、ごみとともに掃除機本体内に吸引された空気は、ごみ吸引用空気経路を通り、電動送風機を経て掃除機本体外へ排気されるが、このとき、掃除機本体内に吸気された空気の一部はごみ吸引用空気経路と連通している充電電源の冷却用空気経路に入り、充電電源の周囲を通って電動送風機に至り、ついで掃除機本体の外へ排出されるようになり、この空気の流れにより、充電電源を冷却することができる。
【００１５】
また、充電電源の冷却用空気経路の入口を開閉する可動式の空気経路開閉部と、この空気経路開閉部を駆動する空気経路開閉駆動手段と、前記充電電源の温度を検知する温度検知手段と、この温度検知手段が一定温度になったことを検知して前記空気経路開閉駆動手段を制御する空気経路開閉判断手段とを備えたものである。
【００１６】
そして、電動送風機の運転によって、ごみとともに掃除機本体内に吸引された空気は、ごみ吸引用空気経路を通り、電動送風機を経て掃除機本体の外へ排気される。この間、充電電源の温度を温度検知手段によって検知し、その温度が一定温度以上になった場合には、空気経路開閉駆動手段が動作して、空気経路開閉部を開き、掃除機本体内に吸気された空気の一部が充電電源の冷却用空気経路に入り、充電電源の周囲を通って電動送風機へ至るようになり、この空気の流れにより充電電源を冷却することができる。
【００１７】
また、空気経路開閉部が、形状記憶合金で形成した空気経路開閉手段を備えることもできる。
【００１８】
そして、この空気経路開閉手段は、一定温度以上になった場合に、入口を開くように変形するので運転された電動送風機によって、ごみとともに掃除機本体内に吸引された空気はごみ吸引用空気経路を通り電動送風機を経て掃除機本体外へ排気される。この間、運転中の充電電源の温度が一定温度以上になった場合には、空気経路開閉手段を形成している形状記憶合金が変形して充電電源の冷却用空気経路の入口を開き、掃除機本体内に吸気された空気の一部がこの充電電源の冷却用空気経路に入り、充電電源の周囲を通って電動送風機へ至るようになり、この空気の流れにより充電電源を冷却することができる。
【００１９】
また、電動送風機を駆動する充電電源にヒートシンクを設けたものである。そして、電動送風機が運転されると、掃除機本体内に吸引された空気が、ヒートシンクを経て電動送風機に至るため、この空気によって充電電源を冷却することができる。
【００２０】
さらに、電動送風機の駆動制御部における半導体のヒートシンクを、充電電源に設けたヒートシンクと共用することもできる。
【００２１】
そして、電動送風機が運転されると、掃除機本体内に吸引された空気が、ヒートシンクを経て電動送風機に至るため、この空気によって充電電源とともに電動送風機の駆動制御部における半導体も冷却することができる。
【００２２】
【実施例】
（実施例１）
本発明の実施例１について、図１ないし図３を参照して説明する。
【００２３】
図１および図２において、１は掃除機本体で、上部材２および下部材３により外枠を形成している。４はバンパー、５は掃除機本体１の内部に収納した電動送風機、６は掃除機本体１の内部に収納した充電電源、７は掃除機本体１の内部に収納した制御回路、８は掃除機本体１の上部に配置して電動送風機５の動作を操作する操作部、９は充電台１０と接続する本体側端子、１１は充電台１０を商用電源１２と接続するコード、１３は充電台１０の内部に収納した制御回路、１４は掃除機本体１の本体側端子９と接続する充電台側端子で、掃除機本体１を載置して接続すると動作するスイッチが配設されており、後述するように、載置されて接続されたことが検知できるように構成されている。
【００２４】
図３において、制御回路７は、充電電源６に電動送風機５と操作部８とが直列に接続された構成となっている。１５は商用電源１２より充電電源６に充電するための充電直流電源装置、１６は放電手段で、充電電源６に充電放電切り替え手段１７を介して並列に接続されている。１８は充電台セット検知手段で、掃除機本体１を充電台１０に載置して接続するとスイッチがオン／オフすることによって検知し、充電直流電源装置１５と並列に接続されている。１９はタイマーで、掃除機本体１が充電台１０に載置して接続されている時間を検知し、その時間値が、所定の設定時間を越えると充電放電切り替え手段１７に信号を出力し、この充電放電切り替え手段１７は充電直流電源装置１５と並列に接続されている。なお、充電放電切り替え手段１７は、タイマー１９からの信号を受けて充電と放電とを切り替える機能と有し、充電直流電源装置１５と放電手段１６と充電電源６とに接続されている。
【００２５】
以上のように構成された充電式電気掃除機は、以下に説明するように動作する。
【００２６】
掃除に使用する場合は、操作部８の操作によって電動送風機５が充電電源６を電源として回転し、吸塵をする。ついで、掃除が終了して充電台１０に掃除機本体１を載置して接続すると、本体側端子９と充電台側端子１４とが接続されて充電電源６は充電直流電源装置１５により充電され、また充電台セット検出手段１８が動作し、載置して接続されたことを検知する。載置したことを検知した信号がタイマー１９に入力されると、タイマー１９はカウントを開始する。そして、タイマー１９がカウントしたタイマー値が、設定時間値以上になると、充電放電切り替え手段１７に信号を出力する。
【００２７】
この信号を入力した充電放電切り替え手段１７は、充電電源６を放電手段１６側に接続し、充電された充電電源６を放電させる。そして、一定時間が経過して放電が完了すると、充電放電切り替え手段１７は充電直流電源装置１５側に接続を切り替え、充電電源６に充電がされように動作する。
【００２８】
（参考例）
本発明の参考例について図４を参照して説明する。なお、実施例１の場合と同一の構成部分については、同一の符号を付与してその詳細な説明は省略する。
【００２９】
図４において、２０は商用電源１２を電源とする直流電源装置、２１は直流電源装置２０を電源とする信号処理部で、掃除機本体１が充電台１０に載置されて接続されてからの時間を検知し、長時間セットされたままであると、充電が完了したと判断して充電電源６を放電させる放電手段１６に一定時間信号を出力し、また、その後充電を行うように充電切り替え手段２２に信号を出力する。なお、充電台セット検知手段１８は、掃除機本体１が充電台１０にセットされた信号を信号処理部１３に入力する。
【００３０】
また、直流電源装置２０と充電直流電源装置１５とは商用電源１２と並列に接続され、充電直流電源装置１５は、充電切り替え手段２２と充電電源６と直列に接続されている。さらに、直流電源装置２０は、信号処理部２１と充電台セット検出手段１８と並列に接続されており、信号処理部２１は、充電切り替え手段２２と放電手段１６とに出力するように接続されている。
【００３１】
以上説明したように構成された充電式電気掃除機は、以下に説明するように動作する。
【００３２】
掃除に使用する場合は、操作部８の操作で充電電源６によって電動送風機５が回転して吸塵する。ついで、掃除が終了して充電台１０に掃除機本体１をセットすると、本体側端子９と充電台側端子１４とが接続され、また充電台セット検出手段１８が動作してセットされたことを検知する。セットされたことを検知した信号が信号処理部２１に入力されると、この信号処理部２１ではタイマーカウントを開始する。そして、タイマー値が一定時間値以上になると、信号処理部２１は充電が完了したと判断して放電手段１６に信号を出力する。この信号を入力した放電手段１６は、充電電源６を放電させる。一定時間が経過し、放電が完了すると、信号処理部２１は放電を停止させ、充電切り替え手段２２に信号を出力する。その信号を入力した充電切り替え手段２２は、充電直流電源装置１５と充電電源６とを接続し、充電電源６の充電が開始される。一定時間が経過し、充電が完了すると、充電切り替え手段２２は、接続をオフするように動作して充電を停止する。
【００３３】
（実施例２）
本発明の実施例２についてを図５を参照して説明する。なお、以上で説明した実施例の場合と同一の構成部分については、同一の符号を付与してその詳細な説明は省略する。
【００３４】
図５において、商用電源１２は、充電電源６に充電をするための充電直流電源装置１５および信号処理部２１の電源となる直流電源装置２０の電源となっている。なお、信号処理部２１は、掃除機本体１が充電台１０にセットされたことを検知し、かつ時報電波を検知し、負荷接続切り替え手段２３と放電手段１６と充電切り替え手段２２とに信号を出力する。なお、負荷接続切り替え手段２３は信号処理部２１の信号によって負荷２４のオン−オフを切り替える機能を有する。また、２５は時報電波を検知する時報電波検出手段で、信号処理部２１に信号出力し、２６、２７は分割抵抗で、信号処理部２１から信号が出力されたときの充電電源６の分割電圧を検出できる。
【００３５】
商用電源１２と並列に直流電源装置２０と充電直流電源装置１５とが接続されており、充電直流電源装置１５は、充電切り替え手段２２および充電電源６と直列に接続されており、充電電源６には、放電手段１６および負荷接続切り替え手段２３と負荷２４との直列回路、ならびに分割抵抗２６、２７とトランジスタ２８の直列回路が並列に接続されている。そして、トランジスタ２８のベースは、制限抵抗２９を介して信号処理部２１に接続されている。また、直流電源装置２０は、信号処理部２１と充電台セット検出手段１８と時報電波検出手段２５とに並列に接続され、信号処理部２１は、充電切りり替え手段２２、放電手段１６、負荷接続切り替え手段２３、およびトランジスタ２８に出力するように接続されている。
【００３６】
以上説明したように構成された充電式電気掃除機は、以下のような動作をする。
【００３７】
掃除に使用する場合は、以上説明した場合と同様のため省略する。掃除が終了して充電台１０に掃除機本体１をセットすると、本体側端子９と充電台側端子１４とが接続され、また充電台セット検出手段１８が動作し、セットされたことを検知する。セットされたことを検知した信号が信号処理部２１に入力されると、負荷接続切り替え手段２３に出力する。この信号を受けて充電電源６に負荷２４を接続することにより電圧降下した電圧をトランジスタ２８に出力し、分割して信号処理部２１に入力する。
【００３８】
この分割電圧を信号処理部２１が読みとると、負荷２４をオフにする信号を出力する。そして、この分割電圧が設定値以下の時には、時報電波検出手段２５により、夜になったことを検知して放電手段１６に信号を出力し、放電を行う。放電が行われて充電電圧が設定電圧以下になって、朝が近づいてくると、充電切り替え手段２２に信号を出力する。その信号を入力した充電切り替え手段２２は、充電直流電源装置１５と充電電源６とを接続させて充電電源６に充電が開始される。そして、一定時間が経過して充電が完了すると、充電切り替え手段２２は、接続をオフとし、朝までに充電が完了するように動作する。
【００３９】
（実施例３）
本発明の実施例３について、図６ないし図８を参照して説明する。なお、すでに説明した実施例の場合と同一の構成部分については、同一の符号を付与してその詳細な説明は省略する。
【００４０】
図６において、３０は電動送風機５の吸い込み力をコントロールするスイッチング手段で、本体信号処理部３１よりの信号を受けてスイッチングを行い、電動送風機５を制御する。３２は本体信号処理部３１の電源となる本体直流電源装置である。充電電源６に電動送風機５とスイッチング手段３０とが直列に接続され、本体直流電源手段３２は、充電電源６と並列に接続されて本体信号処理部３１の電源となっている。
【００４１】
また、本体信号処理部３１は、本体直流電源装置３２および操作部８と並列に接続され、操作部８と充電電源６との電圧の入力信号によって、スイッチング手段３０に出力するように接続されている。さらに、充電電源６と分割抵抗３３、３４とトランジスタ３５とは直列に接続され、分割抵抗３３、３４との間は、制限抵抗３６を介して本体信号処理部３１に接続されている。
【００４２】
以上説明したように構成された充電式電気掃除機は、以下のように動作する。
【００４３】
操作部８からの信号を受けて本体信号処理部３１は、スイッチング手段３０に信号を出力し、スイッチング手段３０においては、スイッチングをして電動送風機５が動作する。強い吸い込み力で掃除を行っている場合（図８（ａ）参照）充電電源６における消費が早くなって充電電圧が降下する。そこで、この電圧降下を分割抵抗３３、３４により分割した電圧として本体信号処理部３１を読み取りスイッチング手段３０に、図８（ｂ）で示すようなパルス点弧をさせる信号を出力する。この信号を入力して電動送風機５は、パワーを下げて動作を行い、図７で示すような理想放電直線に沿うに、吸い込み力のアップ−ダウンを行わせる。
【００４４】
（実施例４）
本発明の実施例４について、図９を参照して説明する。なお、すでに説明した実施例の場合と同一の構成部分については、同一の符号を付与してその詳細な説明は省略する。
【００４５】
図９において、３７は信号処理部２１より切り替え手段２２に信号を出力し、切り替え手段２２がオン−オフしていることを本体信号処理部３１に送信する送信手段で、信号処理部２１と並列に接続され、信号処理部から２１からの信号が入力できるように構成されている。その他の回路構成は、実施例１および２の場合と同様である。３８は送信手段３７からの信号を受信する受信手段で、本体信号処理部３１と並列に接続され、本体信号処理部３１に信号が入力できるように構成されている。その他の回路構成については実施例２の場合と同様である。
【００４６】
以上説明したように構成された充電式電気掃除機は、以下のように動作する。
【００４７】
充電電源１６に充電を行う際、信号処理部２１は充電切り替え手段２２よりの信号を出力して充電直流電源装置１５と接続させる。一定時間が経過すると、充電切り替え手段２２にオフの信号を出力し、同時に送信手段３２にオフしたことの信号を出力する。その信号を、受信手段３８により受信して本体信号処理部３２に出力する。
【００４８】
その信号を入力した本体信号処理部３１においては電動送風機５をゆっくりと回転させるパルス信号を出力し、電動送風機５の回転により、充電電源１６を冷却する。一定時間冷却した後、電動送風機５の回転動作を止め、ついで、一定時間、充電電源１６を充電する。また、温度検知手段により充電電源１６の温度が設定温度以上に上昇したことを検知すると、充電を止めて電動送風機５により冷却し、冷却されたら充電を再開する。
【００４９】
（実施例５）
本発明の実施例５について、図１０を参照して説明する。なお、すでに説明した実施例の場合と同一の構成部分については、同一の符号を付与してその詳細な説明は省略する。
【００５０】
図１０において、３９は集塵室、４０は吸い込み口４１を密閉する密閉弁で、吸い込み口４１の前部に配している。４２は外気に連通して充電電源１６を冷却するための開放口で、充電電源１６の近傍に設けられている。４３は開放口４２を密閉、開口する開放口密閉弁で、開放口４２の側部に回動自在に配している。なお、回路構成としては、実施例４において説明したブロック回路を用いている。
【００５１】
以上説明したような構成における動作は、以下の通りである。
【００５２】
充電を行う際には、吸い込み口４１を密閉弁４０により密閉し、開放口密閉弁４３を回動して開放口４２を開放する。そして、実施例４で説明したように、電動送風機５をゆっくりと回転させることにより、開放口４２より外気が流入し、それが充電電源１６に直接当たり、さらに冷却効果が良くなる。
【００５３】
（実施例６）
本発明の実施例６について、図１１を参照して説明する。なお、すでに説明した実施例の場合と同一の構成部分については、同一の符号を付与してその詳細な説明は省略する。
【００５４】
図１１において、４４は吸引された空気が掃除機本体１内に入る吸気口、４５は掃除機本体１内のごみ吸引用空気経路、４６は充電電源冷却用空気経路、４７は充電電源冷却用空気経路４６にごみが入り込まないように、ごみ吸引用空気経路４５との連通部分に設けたフィルター、４８は電動送風機５によって吸引された空気が掃除機本体１外へ排気される排気口である。
【００５５】
次に、その動作について説明する。
【００５６】
充電電源１６によって電力が供給されて電動送風機５の運転が始まると、ごみとともに吸引された空気が、吸気口４４より掃除機本体１内に入る。この空気は、ごみを集塵室３９に残し、ごみ吸引用空気経路４５から電動送風機５を経て排気口４８より外部へ排気される。このとき、吸引された空気の一部がごみ吸引用空気経路４５と連通した充電電源冷却用空気経路４６へ流入し、充電電源１６の周囲を経て電動送風機５から排気口４８に至る。この充電電源冷却用空気経路４６に流入する空気は、フィルター４７によってろ過され、ごみがごみ吸引用空気経路４５から充電電源冷却用空気経路４６に入ることはなく、清浄な空気の流れにより充電電源１６は冷却され、温度上昇が抑えられて充電電源１６の寿命が延びる。
【００５７】
（実施例７）
本発明の実施例７について図１２及び図１３を参照して説明する。なお、すでに説明した実施例と同一の構成部分については、同一の符号を付与してその詳細な説明は省略する。
【００５８】
図１１および図１２において、４９は充電電源冷却用空気経路４６の入口を開閉する可動式の空気経路開閉部、５０は空気経路開閉部４９を駆動する空気経路開閉駆動手段で例えばアクチュエータで構成される。５１は充電電源１６の温度を検知する温度検知手段、５２は温度検知手段５１によって一定温度になったことを検知して空気経路開閉駆動手段５０を制御する空気経路開閉判断手段である。
【００５９】
次に、その動作について説明する。
【００６０】
電動送風機５の運転により、ごみとともに掃除機本体１内に吸引された空気は、ごみ吸引用空気経路４５を通り、電動送風機５を経て排気口４８より掃除機本体１外へ排気される。この間、充電電源１６の温度を温度検知手段５１によって検知し、その温度が一定温度以上になった場合には、空気経路開閉判断手段５２が空気経路開閉駆動手段５０に制御信号を送り、信号を受け取った空気経路開閉駆動手段５０は、空気経路開閉部４９を開き、掃除機本体１内に吸気された空気の一部を充電電源冷却用空気経路４６に流入させ、充電電源１６の周囲を通って電動送風機５へ至るようにする（図１３参照）。この空気の流れにより、充電電源１６は冷却されるので、温度上昇が抑えられ、充電電源１６の寿命が延びる。
【００６１】
（実施例８）
本発明の実施例８について、図１４を参照して説明する。なお、すでに説明した実施例と同一の構成部分については、同一の符号を付与してその詳細な説明は省略する。
【００６２】
図１４において、５３は充電電源冷却用空気経路４６の入口が一定温度以上になった場合に開き、形状記憶合金により構成された空気経路開閉手段である。
【００６３】
次に、その動作について説明する。
【００６４】
電動送風機１６の運転により、ごみとともに掃除機本体１内に吸引された空気は、ごみ吸引用空気経路４５を通り、電動送風機５を経て排気口４８より掃除機本体１外へ排気される。この間、運転中の充電電源１６の温度が一定温度以上になった場合には、空気経路開閉手段５３を構成している形状記憶合金が変形して充電電源冷却用空気経路４６の入口を開き、掃除機本体１内に吸気された空気の一部を充電電源冷却用空気経路４６に流入させ、充電電源１６の周囲を通って電動送風機５へ至るようにする。この空気の流れにより、充電電源１６は冷却されるので、温度上昇が抑えられ、充電電源１６の寿命が延びる。
【００６５】
（実施例９）
本発明の実施例９について、図１５を参照して説明する。なお、すでに説明した実施例と同一の構成部分については、同一の符号を付与してその詳細な説明は省略する。
【００６６】
図１４において、５４は吸引用空気経路、５５は充電電源１６の一部に形成したヒートシンク構成部である。
【００６７】
次に、その動作について説明する。
【００６８】
充電電源１６よりの電力供給によって電動送風機５が運転を始めると、ごみとともに吸引された空気は、吸気口４４より掃除機本体１内に入る。この空気は、吸引用空気経路５４を通り、ごみのみを集塵室３９内に残し、ヒートシンク構成部５５を経て電動送風機５に至り、その後、排気口４８より外部へ排気される。これにより、ヒートシンク構成部５５を介して充電電源１６は冷却されるため、温度上昇が抑えられ、充電電源１６の寿命が延びる。
【００６９】
（実施例１０）
本発明の実施例１０について、図１６を参照して説明する。なお、すでに説明した実施例と同一の構成部分については、同一の符号を付与してその詳細な説明は省略する。
【００７０】
図１６において、５６は電動送風機駆動制御部で、この電動送風機駆動制御部５６における半導体のヒートシンク部分は、充電電源１６に構成されたヒートシンク構成部５５と共用している。
【００７１】
次に、その動作について説明する。
【００７２】
電動送風機５が運転されると、掃除機本体１内に吸引された空気がヒートシンク構成部５５を経て電動送風機５に至るため、この空気によるヒートシンク構成部５５の冷却によって充電電源１６とともに、電動送風機駆動制御部５６の半導体も冷却されるので、それらの温度上昇が抑えられ、充電電源１６の寿命が延び、また電動送風機駆動制御部５６の品質特性も向上する。
【００７３】
【発明の効果】
本発明は、以上説明したような形態で実施され、以下に記載されるような効果を奏する。本発明の請求項１記載の発明によれば掃除機本体を、充電台に載置して接続してからの時間を検知し、長時間使用されないときは充電電源を放電させ、その後に充電を行うことにより、充電電源のすべての電圧範囲を使用して充電電源のリフレッシュが行われ、充電電源の寿命とサイクル寿命とが延びる。
【００７４】
本発明の請求項２記載の発明によれば、充電台に載置したことを検知したときに、電動送風機に流れた電流とその電流を流したときの充電電圧とを検知し、設定値以下の場合には、夜に放電を行い、朝までに充電を完了させることにより、充電電源のすべての電圧範囲を使用して充電電源のリフレッシュが行われ、充電電源の寿命とサイクル寿命が延び、また、朝までに充電が完了しているため使い勝手も向上する。
【００７５】
本発明の請求項３記載の発明によれば、充電電圧の変化を本体信号処理部で読み取り、その変化率が大きいときは吸い込み力を抑えることにより、一定時間以上の掃除を行うことができ、掃除の最低時間が確保され、安心して掃除が行える。
【００７６】
本発明の請求項４記載の発明によれば、充電電源を充電する際に、電動送風機をゆっくり回転させ、電池を冷却しながら充電を行うことにより、充電時の充電電源の冷却が行われ、温度上昇を抑え、電池の寿命が延び、長期間の使用ができる。
【００７７】
本発明の請求項５記載の発明によれば、電動送風機をゆっくり回転させながら充電を行うときは、吸い込み口を閉じ、開放口を開けることにより、冷却効果が良くなって寿命が向上し、また充電電源を固定位置が自在となり、小型の電気掃除機が実現できる。
【００７８】
本発明の請求項６記載の発明によれば、電動送風機の運転中に、充電電源の冷却を行って、温度上昇を抑えることにより、電池の寿命が延び長期間の使用ができる。
【００７９】
本発明の請求項７記載の発明によれば、電動送風機の運転中に、充電電源の温度が一定値以上になった場合に、充電電源の冷却を行うことにより、吸引効率を高め、また、充電電源の温度上昇を抑えることにより、寿命が延び長期間の使用ができる。
【００８０】
本発明の請求項８記載の発明によれば、電動送風機の運転中に、電気的制御を行わずに充電電源の温度が一定値以上になった場合、充電電源の冷却を行うことにより、吸引効率を高め、また、充電電源の温度上昇を抑えることにより、寿命が延び長期間の使用ができる。
【００８１】
本発明の請求項９記載の発明によれば、電動送風機の運転中に、空気の流れを分流させることなく充電電源の冷却を行うことができ、吸引効率を高め、また充電電源の温度上昇を抑えることにより、寿命が延び長期間の使用ができる。
【００８２】
本発明の請求項１０記載の発明によれば、電動送風機の運転中に、空気の流れを分けることなく充電電源の冷却を行うことができ、また、電動送風機駆動制御部の冷却も同一のヒートシンクで行うことができるので、充電電源と電動送風機駆動制御部の温度上昇をより経済的に抑えることができ、寿命が延び長期間の使用ができる。
【図面の簡単な説明】
【図１】
本発明の実施例１における充電式電気掃除機の外観説明図
【図２】
同充電式電気掃除機を載置する充電台の外観図
【図３】
同充電式電気掃除機のブロック回路図
【図４】
本発明の参考例における充電式電気掃除機のブロック回路図
【図５】
本発明の実施例２における充電式電気掃除機のブロック回路図
【図６】
本発明の実施例３における充電式電気掃除機のブロック回路図
【図７】
同充電式電気掃除機の動作を示す動作説明図
【図８】
同充電式電気掃除機における電動送風機の動作を示す動作説明図
【図９】
本発明の実施例４における充電式電気掃除機のブロック回路図
【図１０】
本発明の実施例５における充電式電気掃除機の断面構成図
【図１１】
本発明の実施例６における充電式電気掃除機の断面構成図
【図１２】
本発明の実施例７における充電式電気掃除機の断面構成図
【図１３】
同充電式電気掃除機におけるシステムブロック図
【図１４】
本発明の実施例８における充電式電気掃除機の断面構成図
【図１５】
本発明の実施例９における充電式電気掃除機の断面構成図
【図１６】
本発明の実施例１０における充電式電気掃除機の断面構成図
【図１７】
従来における充電台に載置した充電式電気掃除機の外観説明図
【図１８】
同充電式電気掃除機のブロック回路図
【符号の説明】
１  掃除機本体
５  電動送風機
６  充電電源
７、１３  制御回路
８  操作部
１０  充電台
１５  充電直流電源装置
１６  放電手段
１７  充電放電切り替え手段
１８  充電台セット検知手段
１９  タイマ
２０  直流電源装置
２１  信号処理部
２２  充電切り替え手段
２３  負荷接続切り替え手段
２４  負荷
２５  時報電波検出手段
３０  スイッチング手段
３１  本体信号処理部
３２  本体直流電源装置
３７  送信手段
３８  受信手段
４０  密閉弁
４１  吸い込み口
４２  開放口
４３  開放口密閉弁
４５  ごみ吸引用空気通路
４６  充電電源冷却用空気経路
４９  空気経路開閉部
５０  空気経路開閉駆動手段
５１  温度検知手段
５２  空気経路開閉判断手段
５３  空気経路開閉手段
５５  ヒートシンク構成部
５６  電動送風機駆動制御部